(57)【要約】      （修正有）【課題】ワイヤハーネスを収納位置に確実に固定できる電線結束具を提供する。【解決手段】電線結束具５が備える固定部材６は、その左右の両側部を中央部に比べて下方に延出させた一対の脚部６１を備えている。固定部材６は、両脚部６１，６１で跨ぐようにして両電線固定部間の電線束Ｄを上方から覆う。両脚部間には、アンダーカバーに収納された電線束の延伸方向への滑り止めを行う滑り止め部６２が設けられている。結束部材７は、各脚部６１から脚部６１の延出方向である下方に延びている。結束部材７は、係止部に係止される被係止部７１を、その延伸方向に沿って複数備えている。結束部材７は、電線固定部と係止部とで囲まれる挿通孔に上方から挿入され、係止部の係止突起に被係止部を係止されることにより、上方への移動を規制される。【選択図】図３
2009112088.tif 000002
【特許請求の範囲】
【請求項１】
底板上に延びる一対の側板間に沿わせて収納された電線束を結束する電線結束具であって、
両前記側板の対向する位置に設けられた一対の電線固定部間の電線束を覆う固定部材と、
各前記電線固定部に備えられた係止部に挿通係止されて、両前記電線固定部間の電線束に前記固定部材を押し付ける結束部材とを備えることを特徴とする電線結束具。
【請求項２】
前記固定部材は、両前記電線固定部間の電線束を跨ぐ一対の脚部を備え、
前記結束部材は、両前記脚部から前記脚部の延出方向に延びていることを特徴とする請求項１に記載の電線結束具。
【請求項３】
前記固定部材は、その幅方向に延びて両前記側板間に収納された電線束に接触する滑り止め部を備えることを特徴とする請求項１又は請求項２に記載の電線結束具。
【請求項４】
前記結束部材は、前記係止部に係止される被係止部をその延伸方向に沿って複数備えていることを特徴とする請求項１から請求項３の何れかに記載の電線結束具。
【請求項５】
底板上に延びる一対の側板間に沿わせて電線束を収納する電線収納具であって、
両前記側板の対向する位置に設けられた一対の電線固定部と、
各前記電線固定部に備えられた係止部と、
両前記電線固定部間の電線束を一対の脚部で跨いで覆う固定部材と、
両前記脚部から前記脚部の延出方向に延びて前記係止部に挿通係止され、両前記電線固定部間の電線束に前記固定部材を押し付ける結束部材とを備えることを特徴とする電線収納具。
【発明の詳細な説明】
【技術分野】
【０００１】
本発明は、底板上に延びる一対の側板間に沿わせて電線束を収納する電線収納具、及びこの電線収納具での電線束の結束に用いられる電線結束具に関する。
【背景技術】
【０００２】
従来、この種の電線収納具としては、下記の特許文献１に記載のワイヤハーネス成形プロテクタが開示されている。このプロテクタは、ワイヤハーネスの電線群を収納するＵ字溝状のプロテクタ本体の端部に、横断面Ｌ字形の電線固定部を設け、電線固定部を構成するＬ字二片の側縁に、プロテクタ本体とスリットを介して分離した電線サポート板を一体に設けて構成されている。プロテクタ本体の内側に電線群を入れ、必要に応じて電線サポート板を折り曲げて電線群の外周に添着させ、その上からテープ巻きを施すことにより、電線群が電線固定部に固定される。
【０００３】
【特許文献１】特開平７−３２２４４１号公報
【発明の開示】
【発明が解決しようとする課題】
【０００４】
上記従来のプロテクタでは、ワイヤハーネスに巻き付けるテープの幅が狭いために、ワイヤハーネスとテープとの接触面積を十分に得ることができず、プロテクタ本体に対するワイヤハーネスの振動により結束が緩む虞があった。また、プロテクタ本体に対するワイヤハーネスの振動により、テープが摩耗して十分な結束力を得られなくなる虞があった。この結果、プロテクタ本体でのワイヤハーネスの固定位置にずれが生じる虞があった。
【０００５】
本発明は、上記した点に鑑み、ワイヤハーネスを収納位置に確実に固定することができる電線結束具、及び電線収納具を提供することを目的とする。
【課題を解決するための手段】
【０００６】
このような目的を達成するために、本発明の電線結束具は、底板上に延びる一対の側板間に沿わせて収納された電線束を結束する電線結束具であって、両前記側板の対向する位置に設けられた一対の電線固定部間の電線束を覆う固定部材と、各前記電線固定部に備えられた係止部に挿通係止されて、両前記電線固定部間の電線束に前記固定部材を押し付ける結束部材とを備えることを特徴とする。
また、本発明は、前記固定部材が、両前記電線固定部間の電線束を跨ぐ一対の脚部を備え、前記結束部材が、両前記脚部から前記脚部の延出方向に延びていることを特徴とする。
また、本発明は、前記固定部材が、その幅方向に延びて両前記側板間に収納された電線束に接触する滑り止め部を備えることを特徴とする。
また、本発明は、前記結束部材が、前記係止部に係止される被係止部をその延伸方向に沿って複数備えていることを特徴とする。
また、本発明の電線収納具は、底板上に延びる一対の側板間に沿わせて電線束を収納する電線収納具であって、両前記側板の対向する位置に設けられた一対の電線固定部と、各前記電線固定部に備えられた係止部と、両前記電線固定部間の電線束を一対の脚部で跨いで覆う固定部材と、両前記脚部から前記脚部の延出方向に延びて前記係止部に挿通係止され、両前記電線固定部間の電線束に前記固定部材を押し付ける結束部材とを備えることを特徴とする。
【発明の効果】
【０００７】
本発明によれば、電線束に接触して結束を行う固定部材と、結束力を働かせるための結束部材とに分けて電線結束具が構成されており、それぞれの目的に応じた構成を固定部材及び結束部材に備えさせられることから、ワイヤハーネスを収納位置に確実に固定することができる。
【発明を実施するための最良の形態】
【０００８】
以下、図面を参照して、本発明の最良の形態を説明する。図１は、本実施形態のプロテクタ１を構成するカバー２，４の斜視図である。図２は、電線結束具５を取り付けられたアンダーカバー２の電線固定部２１ａを拡大して示す側面図である。なお、以下の説明で用いる上下，前後，左右の各方向は説明に用いる各図に示している。この上下，前後，左右は説明のために記載したもので、実際の配置と異なってよいことはもちろんである。
【０００９】
図１に示すように、プロテクタ１は、電線束を収納するアンダーカバー２と、アンダーカバー２を上方から覆うアッパーカバー４とを備えている。アンダーカバー２は、一対の側板２１，２１と両側板２１，２１の下縁部間に掛け渡された底板２２とを備えて構成されており、略Ｕ字の断面形状を有している。アンダーカバー２は、両側板２１，２１と底板２２とで囲まれる収納空間２ａに電線束Ｄを収納する。各側板２１，２１の延伸方向の両端部には、電線固定部２１ａが設けられている。
【００１０】
図２に示すように、電線固定部２１ａは、両側板２１，２１の対向する位置に設けられている。各電線固定部２１ａ，２１ａの上端部の外面には、係止部３が設けられている。係止部３は、コの字状の枠体から構成されており、電線固定部２１ａの上縁に沿わせて位置させた一対の脚部を電線固定部２１ａに接続されている。図１に示すように、電線固定部２１ａを構成する側板２１と係止部３とで囲まれて、上下方向に開口した空間は、後述する電線結束具５が備える結束部材７の挿通孔３１を構成している。図２に示すように、電線固定部２１ａと向かい合う係止部３の内面には、断面略三角形状を呈した係止突起３２が、係止部３の幅方向に沿って延設されている。
【００１１】
図１に示すように、アッパーカバー４は、アンダーカバー２よりやや幅広に形成されており、左右の縁部からは下方向に向けて屈曲片が延びている。アッパーカバー４は、アンダーカバー２に上方から被せられ、前後の両電線固定部２１ａ，２１ａ間の側板２１，２１を、外方から左右の屈曲片で挟み込んで固定される。カバー２，４に収納された電線束Ｄは、電線結束具５を用いて結束される。
【００１２】
図３は、電線結束具５の斜視図である。また、図４は、電線結束具５の固定部材６を示す内方からの斜視図である。
【００１３】
図３に示すように、電線結束具５は、アンダーカバー２が備える両電線固定部２１ａ，２１ａ間の電線束Ｄを覆う固定部材６と、両電線固定部２１ａ，２１ａ間の電線束Ｄに固定部材６を押し付けて結束する結束部材７とを備えている。固定部材６は、四角ブロック体の左右の幅方向の中央部の下端部を、前端から後端にかけて、円柱状に切り欠いた形状を有している。固定部材６の前後方向の長さは、電線固定部２１ａの長さとほぼ等しく、又は、やや短く設定されている。また、固定部材６の左右方向の幅は、両電線固定部２１ａ，２１ａ間の幅とほぼ等しく、又は、やや幅狭に設定されている。
【００１４】
固定部材６の幅方向の中央部に比べて下方に延出した左右の両側部は、一対の脚部６１を構成している。固定部材６は、両脚部６１，６１で跨ぐようにして両電線固定部２１ａ，２１ａ間の電線束Ｄを上方から覆う。両脚部６１，６１間には、図４に示すように、アンダーカバー２に収納された電線束Ｄの延伸方向への滑り止めを行う滑り止め部６２が設けられている。滑り止め部６２は、固定部材６の幅方向に延びる溝から構成されており、両脚部６１，６１間の前端から後端にかけて複数設けられている。
【００１５】
図３に示すように、結束部材７は、各脚部６１から脚部６１の延出方向である下方に延びている。結束部材７は、係止部３の係止突起３２に係止される被係止部７１を、その延伸方向に沿って複数（図３では２つ）備えている。各被係止部７１は、結束部材７の外面に幅方向に沿って延びており、断面略三角形状を呈している。結束部材７は、アンダーカバー２の挿通孔３１に上方から挿入され、係止部３の係止突起３２に被係止部７１を係止されることにより、上方への移動を規制される。
【００１６】
電線結束具５は、アンダーカバー２の向かい合う両電線固定部２１ａが備える挿通孔３１に上方から結束部材７を挿入されて、両電線固定部２１ａ，２１ａ間の電線束Ｄを上方から固定部材６で覆う。固定部材６が電線束Ｄに押し付けられると、両電線固定部２１ａ，２１ａ間の電線束Ｄが固定部材６により底板２２に押さえ付けられて、固定部材６を上方に押し出すように弾発力を生じさせる。また、結束部材７は、挿通孔３１内を下方に進み、先端側の被係止部７１から係止部３の係止突起３２に順次嵌合する。固定部材６に対する押し付けが解かれると、電線束Ｄの弾発力で固定部材６と共に結束部材７が上方に押し出され、結束部材７の被係止部７１が係止突起３２に係止される。これにより、上方への移動を規制された結束部材７は、固定部材６に対して結束力を働かせ、固定部材６により電線束Ｄが結束された状態を保つ。
【００１７】
上記実施形態のプロテクタ１によれば、電線束Ｄに接触して結束を行う固定部材６と、固定部材６に結束力を働かせる結束部材７とに分けて電線結束具５が構成されており、それぞれの目的に応じた構成を固定部材６及び結束部材７に備えさせられることから、十分な結束力を働かせつつ、電線束Ｄへの接触面積を十分に確保して、電線束Ｄの位置ずれを防止することができる。従って、電線束Ｄをカバー２，４の収納位置に確実に固定することができる。
【００１８】
また、上記実施形態のプロテクタ１によれば、固定部材６に覆われた電線束Ｄの延伸方向への滑り止めが滑り止め部６２により行われることから、電線束Ｄに振動が加わった際に生じる磨耗や緩みを抑えることができる。従って、電線束Ｄをカバー２，４の収納位置により確実に固定することができる。
【００１９】
また、上記実施形態のプロテクタ１によれば、結束部材７が多数の被係止部７１を備えているので、電線束Ｄの太さに応じた被係止部７１を係止部３の係止突起３２に係止させることにより、電線束Ｄの太さに関わらずに、確実に接触面積を確保することができる。このため、振動を加えられ易い車両にプロテクタ１が組み付けられた場合でも、電線束Ｄをカバー２，４内に確実に固定することができる。従って、電線束Ｄをカバー２，４の収納位置により確実に固定することができる。
【００２０】
また、上記実施形態のプロテクタ１によれば、両電線固定部２１ａ，２１ａ間の電線束Ｄに固定部材６を押し付けるという簡単な操作で、電線束Ｄの結束を行うことができる。従って、電線束Ｄの結束作業を簡略化することができる。
【００２１】
上記実施形態では、電線固定部２１ａと向かい合う係止部３の内面に係止突起３２を設け、結束部材７の外面に被係止部７１を設けた場合について説明した。しかしながら、結束部材７の内面に被係止部７１を設け、係止部３と向かい合う電線固定部２１ａの外面に係止突起３２を設けてもよい。また、上記実施形態では、係止部３がコの字状の枠体から構成されていたが、係止部３の形状は任意である。例えば、結束部材７の挿通孔を中央部に備えた矩形の平板から係止部３が構成されていてもよい。
【００２２】
上記実施形態では、固定部材６にその幅方向に延びる溝を設けて滑り止め部６２を形成した場合について説明したが、アンダーカバー２に収納された電線束Ｄに接触して電線束Ｄの延伸方向への滑り止めを行うことができるのであれば、その構成は任意である。例えば、固定部材６の幅方向に延びる突条を設けたり、複数の突起を設けることにより、滑り止め部６２を形成することができる。また、軟質ゴム等の高摩擦係数の弾性体から固定部材６を構成することにより、両脚部６１，６１間の固定部材６の内面自体を滑り止め部６２とすることもできる。
【００２３】
また、底板２２上に延びる一対の側板２１，２１間に沿わせて電線束Ｄを収納するのであれば、アンダーカバー２の構成は任意である。例えば、側板２１，２１の一方又は両方の側方にまで底板２２が延出されている構成としてもよい。また、底板２２は平板状を呈している必要はなく、例えば、円筒状を呈して左右の幅方向の中央部が下方に向けて湾曲していてもよい。係止部３は、側板２１，２１と一体に形成されていても、別体に形成されて接着や螺子止め等により側板２１，２１に固定されていてもよい。
【００２４】
また、アッパーカバー４は、必ずしも備えられている必要はない。また、電線固定部２１ａは、側板２１の両端のみに備えられている必要はなく、例えば、所定距離毎に備えられていてもよい。また、結束部材７は、固定部材６の左右に１つずつ備えられている必要はなく、複数備えられていてもよい。また、固定部材６の形状は、アンダーカバー２が備える両電線固定部２１ａ，２１ａ間の電線束Ｄを覆って底板２２に押さえ付けることができるのであれば、任意である。例えば、脚部６１，６１は必ずしも備えている必要はない。また、上記実施形態では、電線固定部２１ａ，２１ａが低背部である場合について説明したが、電線固定部２１ａ，２１ａは必ずしも低背部である必要はなく、前後の両電線固定部２１ａ，２１ａ間と同じ高さを有していてもよい。
【図面の簡単な説明】
【００２５】
【図１】本発明の一実施形態のプロテクタを構成するカバーの斜視図である。
【図２】電線結束具を取り付けられたアンダーカバーの電線固定部を拡大して示す側面図である。
【図３】図２に示す電線結束具の斜視図である。
【図４】図２に示す電線結束具の固定部材を示す内方からの斜視図である。
【符号の説明】
【００２６】
Ｄ          電線束
１          プロテクタ
２          アンダーカバー
２ａ        収納空間
２１        側板
２１ａ      電線固定部
２２        底板
３          係止部
３１        挿通孔
３２        係止突起
４          アッパーカバー
５          電線結束具
６          固定部材
６１        脚部
６２        滑り止め部
７          結束部材
７１        被係止部
【図１】
2009112088.tif 000003
【図２】
2009112088.tif 000004
【図３】
2009112088.tif 000005
【図４】
2009112088.tif 000006